【手続補正書】
【提出日】平成22年3月1日(2010.3.1)
【手続補正１】
【補正対象書類名】特許請求の範囲
【補正対象項目名】全文
【補正方法】変更
【補正の内容】
【特許請求の範囲】
【請求項１】
信号電位と参照電圧とを比較判定し、その判定信号を出力するコンパレータと、
上記コンパレータの出力により動作が制御される非同期カウンタと、を含み、
上記カウンタは、
値を保持したままアップカウントからダウンカウントへ、また、ダウンカウントからアップカウントへ、カウントモードを切り替えられる機能と、
入力クロックの立ち上がり、立ち下りの両エッジでカウントする、入力クロックの倍の周波数でカウントする機能と、
上記コンパレータの出力の非同期信号により、入力クロックを非同期でラッチし、そのラッチデータの正転、または反転データをＬＳＢのデータとする機能と、を有する
Ａ／Ｄ変換回路。
【請求項２】
上記カウンタは、
上記入力クロックと同周波数で動作し、その出力をカウンタのＬＳＢデータとするＬＳＢ回路と、
上記ＬＳＢ回路の次の段以降の、入力信号を分周するビット回路がカスケード接続されたリップルカウンタと、を含む
請求項１記載のＡ／Ｄ変換回路。
【請求項３】
上記カウンタは、
アップ・ダウンをカウント保持したまま切り替える機能を実現するための出力論理切り替え機能部を有する
請求項１記載のＡ／Ｄ変換回路。
【請求項４】
上記カウンタの上記ＬＳＢ回路は、
入力クロックをラッチするラッチ回路と、
上記ラッチ回路の出力を別途記憶保持する保持部と、を含み
上記保持部の保持データに応じて、次のビットの入力クロックの正・反転を切り替える機能を有する
請求項２記載のＡ／Ｄ変換回路。
【請求項５】
上記リップルカウンタは、
前段によるデータがクロック端子に供給されるフリップフロップと、
上記フリップフロップのデータ出力側に接続された第１のセレクタと、
入力が上記フリップフロップのデータ出力端に接続され、出力が当該フリップフロップのデータ入力端に接続された第２のセレクタと、を含む
請求項２記載のＡ／Ｄ変換回路。
【請求項６】
上記リップルカウンタは、
上記第１のセレクタはアップ・ダウンの制御信号により切り替え制御され、
上記第２のセレクタはホールド信号により切り替え制御される
請求項５記載のＡ／Ｄ変換回路。
【請求項７】
上記リップルカウンタにおいては、
上記制御信号により、各ビットの出力論理を反転させ、先にアップカウントしたデータを反転させて補数データに変換することで、ダウンカウントした結果に切り替え、
当該切り替えの際におこるデータ反転が次のビットのデータを変えてしまうことを防ぐために、上記制御信号の切り替え期間は、上記ホールド信号によって、各ビットの入出力を負帰還から正帰還に一時的に変え、上記フリップフロップのデータを固定させておく
請求項６記載のＡ／Ｄ変換回路。
【請求項８】
上記リップルカウンタにおいては、
上記フリップフロップのデータを固定させた状態で上記制御信号のレベルを切り替え、出力論理を反転させ、次いでホールド信号を元に戻し、元のカウント状態に戻す
請求項７記載のＡ／Ｄ変換回路。
【請求項９】
上記リップルカウンタは、
前段によるデータがクロック端子に供給されるフリップフロップと、
上記フリップフロップのクロック端子の入力段に配置され、外部信号によりカウント動作に必要な立ち上がり、立ち下りの両エッジを付加可能な回路と、を含む
請求項２記載のＡ／Ｄ変換回路。
【請求項１０】
上記ＬＳＢ回路の上記保持部は、上記入力クロックの入力部および上記ラッチ回路より物理的にコンパレータ側に配置されている
請求項２記載のＡ／Ｄ変換回路。
【請求項１１】
上記カウンタにおいて、前のＡ／Ｄ変換の結果のＬＳＢのデータによって状態が切り替わる回路が、入力クロックをラッチするラッチ回路以降にある
請求項２記載のＡ／Ｄ変換回路。
【請求項１２】
光電変換を行う複数の画素が行列状に配列された画素部と、
上記画素部から複数の画素単位で画素信号の読み出しを行う画素信号読み出し部と、を有し、
上記画素信号読み出し回路は、
画素の列配列に対応して配置され、読み出し信号電位と参照電圧とを比較判定し、その判定信号を出力するコンパレータと、
上記比較器の出力により動作が制御され、対応する上記比較器の比較時間をカウントするカウンタと、を含む複数のＡ／Ｄ変換回路を有し、
上記カウンタは、
値を保持したままアップカウントからダウンカウントへ、また、ダウンカウントからアップカウントへ、カウントモードを切り替えられる機能と、
入力クロックの立ち上がり、立ち下りの両エッジでカウントする、入力クロックの倍の周波数でカウントする機能と、
上記コンパレータの出力の非同期信号により、入力クロックを非同期でラッチし、そのラッチデータの正転、または反転データをＬＳＢのデータとする機能と、を有する
固体撮像素子。
【請求項１３】
上記カウンタは、
上記入力クロックと同周波数で動作し、その出力をカウンタのＬＳＢデータとするＬＳＢ回路と、
上記ＬＳＢ回路の次の段以降の、入力信号を分周するビット回路がカスケード接続されたリップルカウンタと、を含む
請求項１２記載の固体撮像素子。
【請求項１４】
上記カウンタは、
アップ・ダウンをカウント保持したまま切り替える機能を実現するための出力論理切り替え機能部を有する
請求項１２記載の固体撮像素子。
【請求項１５】
上記カウンタの上記ＬＳＢ回路は、
入力クロックをラッチするラッチ回路と、
上記ラッチ回路の出力を別途記憶保持する保持部と、を含み
上記保持部の保持データに応じて、次のビットの入力クロックの正・反転を切り替える機能を有する
請求項１３記載の固体撮像素子。
【請求項１６】
上記リップルカウンタは、
前段によるデータがクロック端子に供給されるフリップフロップと、
上記フリップフロップのデータ出力側に接続された第１のセレクタと、
入力が上記フリップフロップのデータ出力端に接続され、出力が当該フリップフロップのデータ入力端に接続された第２のセレクタと、を含む
請求項１３記載の固体撮像素子。
【請求項１７】
上記リップルカウンタは、
上記第１のセレクタはアップ・ダウンの制御信号により切り替え制御され、
上記第２のセレクタはホールド信号により切り替え制御される
請求項１６記載の固体撮像素子。
【請求項１８】
上記リップルカウンタにおいては、
上記制御信号により、各ビットの出力論理を反転させ、先にアップカウントしたデータを反転させて補数データに変換することで、ダウンカウントした結果に切り替え、
当該切り替えの際におこるデータ反転が次のビットのデータを変えてしまうことを防ぐために、上記制御信号の切り替え期間は、上記ホールド信号によって、各ビットの入出力を負帰還から正帰還に一時的に変え、上記フリップフロップのデータを固定させておく
請求項１７記載の固体撮像素子。
【請求項１９】
上記リップルカウンタは、
前段によるデータがクロック端子に供給されるフリップフロップと、
上記フリップフロップのクロック端子の入力段に配置され、外部信号によりカウント動作に必要な立ち上がり、立ち下りの両エッジを付加可能な回路と、を含む
請求項１３記載の固体撮像素子。
【請求項２０】
固体撮像素子と、
上記撮像素子に被写体像を結像する光学系と、を有し、
上記固体撮像素子は、
光電変換を行う複数の画素が行列状に配列された画素部と、
上記画素部から複数の画素単位で画素信号の読み出しを行う画素信号読み出し部と、を有し、
上記画素信号読み出し回路は、
画素の列配列に対応して配置され、読み出し信号電位と参照電圧とを比較判定し、その判定信号を出力するコンパレータと、
上記比較器の出力により動作が制御され、対応する上記比較器の比較時間をカウントするカウンタと、を含む複数のＡ／Ｄ変換回路を有し、
上記カウンタは、
値を保持したままアップカウントからダウンカウントへ、また、ダウンカウントからアップカウントへ、カウントモードを切り替えられる機能と、
入力クロックの立ち上がり、立ち下りの両エッジでカウントする、入力クロックの倍の周波数でカウントする機能と、
上記コンパレータの出力の非同期信号により、入力クロックを非同期でラッチし、そのラッチデータの正転、または反転データをＬＳＢのデータとする機能と、を有する
カメラシステム。